(57)【要約】      （修正有）【課題】医療用レポート等の作成時に、これを編集しながら出力レイアウトを把握することが容易となる方法を提供する。【解決手段】医療用レポート作成端末１０は、入力画面を表示する第１の表示領域と、出力画面を表示する第２の表示領域とを含む表示部１４と、表示部の第１の表示領域に表示すべき入力画面のレイアウトを少なくとも定義する定義ファイル１３１が格納された記憶部１３と、医療用レポートの作成に関する処理を行う処理部１２とを有する。処理部は、記憶部に格納された定義ファイルに従って、医療用レポートを作成するためのデータ入力を促す入力画面を生成し、入力画面を第１の表示領域に表示させる第１の処理と、データ入力によるデータを反映させた医療用レポートの少なくとも一部を表示する出力画面を生成し、出力画面を第２の表示領域にレイアウト表示させる第２の処理とを行う。【選択図】図２
2010160590.tif 000002
【特許請求の範囲】
【請求項１】
入力画面を表示する第１の表示領域と、出力画面を表示する第２の表示領域とを含む表示部と、
前記表示部の前記第１の表示領域に表示すべき前記入力画面のレイアウトを少なくとも定義する定義データが格納された記憶部と、
前記表示部の前記出力画面に表示すべき医療用レポートの作成に関する処理を行う処理部と
を有し、
前記処理部は、
前記記憶部に格納された前記定義データに従って、前記医療用レポートを作成するためのデータ入力を促す前記入力画面を生成し、当該入力画面を前記第１の表示領域に表示させる第１の処理と、
前記データ入力によるデータを反映させた前記医療用レポートの少なくとも一部を表示する前記出力画面を生成し、当該出力画面を前記第２の表示領域にレイアウト表示させる第２の処理とを行う
医療用レポート作成端末。
【請求項２】
前記処理部は、
前記第２の処理を行う際に、前記医療用レポートをテキスト形式で前記第２の表示領域にレイアウト表示させる
請求項１記載の医療用レポート作成端末。
【請求項３】
前記定義データは、
前記データ入力による入力事項と、医療に関する所定の所見事項とが関連付けられ、
前記処理部は、
前記記憶部に格納された前記定義データに従って、前記データ入力による前記入力事項を前記所定の所見事項に関連付けた前記医療用レポートを作成する
請求項１または２記載の医療用レポート作成端末。
【請求項４】
前記第１の表示領域と前記第２の表示領域とは、互いに隣接している
請求項１から３のいずれか一に記載の医療用レポート作成端末。
【請求項５】
前記定義データは、マークアップ言語による、少なくとも前記レイアウトに関する記述を含み、
前記処理部は、
前記表示部に表示すべき前記入力画面と前記出力画面とのレイアウト表示を前記マークアップ言語で処理する
請求項１から４のいずれか一に記載の医療用レポート作成端末。
【請求項６】
前記処理部は、
前記第１の処理を行う際に、データを入力するための複数の入力欄を前記第１の表示領域に表示させ、
前記第２の処理を行う際に、前記第１の処理によって前記第１の表示領域に表示された前記複数の入力欄の内、データが入力された入力欄の入力事項のみを前記所定の所見事項に関連付け、当該関連付けた事項のみを前記医療用レポートに反映させる
請求項３から５のいずれか一に記載の医療用レポート作成端末。
【請求項７】
前記第２の表示領域にレイアウト表示された前記医療用レポートの所望する箇所のデータ変更に関する操作を行う操作部を有し、
前記処理部は、
前記操作部によって、前記第２の処理後に、前記第２の表示領域にレイアウト表示された前記医療用レポートの一部の前記データ変更に関する指示を受けた場合には、前記指示に従って、変更すべきデータを前記医療用レポートに反映させる
請求項１から６のいずれか一に記載の医療用レポート作成端末。
【請求項８】
記憶部に格納された、表示部の第１の表示領域に表示すべき入力画面のレイアウトを少なくとも定義する定義データに従って、前記表示部の出力画面に表示すべき医療用レポートを作成するためのデータ入力を促す前記入力画面を生成するステップと、
前記入力画面を前記表示部の前記第１の表示領域に表示させるステップと、
前記データ入力によるデータを反映させた前記医療用レポートの少なくとも一部を表示する前記出力画面を生成するステップと、
前記出力画面を前記表示部の第２の表示領域にレイアウト表示させるステップと
を有する医療用レポート作成方法。
【請求項９】
記憶部に格納された、表示部の第１の表示領域に表示すべき入力画面のレイアウトを少なくとも定義する定義データに従って、前記表示部の出力画面に表示すべき医療用レポートを作成するためのデータ入力を促す前記入力画面を生成する処理と、
前記入力画面を前記表示部の前記第１の表示領域に表示させる処理と、
前記データ入力によるデータを反映させた前記医療用レポートの少なくとも一部を表示する前記出力画面を生成する処理と、
前記出力画面を前記表示部の第２の表示領域にレイアウト表示させる処理と
をコンピュータに実行させるプログラム。 
【発明の詳細な説明】
【技術分野】
【０００１】
本発明は、例えば、医療従事者による医療用レポートを作成するための医療用レポート作成端末、医療用レポート作成方法、およびプログラムに関するものである。
【背景技術】
【０００２】
例えば、読影者等の医療従事者は、超音波診断装置等の医療機器により生成された医用画像を基に診断を下す。そして、医療従事者は、専用の端末を使用して、所見等を纏めた医療用レポートを作成する。このような作業の効率化を図るため、特許文献１、２に示す端末やシステム等が開示されている。
【先行技術文献】
【特許文献】
【０００３】
【特許文献１】特開２００１−２７３３６４号公報
【特許文献２】特開２００５−２５６６９号公報
【発明の概要】
【発明が解決しようとする課題】
【０００４】
上述の端末は、所見等のデータが入力されると、この入力データに基づいて作成された医療用レポート等を表示部に表示させる。
【０００５】
しかしながら、医療用レポート等の作成時に、これを編集しながら出力レイアウトを把握することが困難である。
【０００６】
本発明は、医療用レポート等の作成時に、これを編集しながら出力レイアウトを把握することが容易となる医療用レポート作成端末、医療用レポート作成方法、およびプログラムを提供することにある。
【課題を解決するための手段】
【０００７】
本発明の医療用レポート作成端末は、入力画面を表示する第１の表示領域と、出力画面を表示する第２の表示領域とを含む表示部と、前記表示部の前記第１の表示領域に表示すべき前記入力画面のレイアウトを少なくとも定義する定義データが格納された記憶部と、前記表示部の前記出力画面に表示すべき医療用レポートの作成に関する処理を行う処理部とを有し、前記処理部は、前記記憶部に格納された前記定義データに従って、前記医療用レポートを作成するためのデータ入力を促す前記入力画面を生成し、当該入力画面を前記第１の表示領域に表示させる第１の処理と、前記データ入力によるデータを反映させた前記医療用レポートの少なくとも一部を表示する前記出力画面を生成し、当該出力画面を前記第２の表示領域にレイアウト表示させる第２の処理とを行う。
【０００８】
好適には、前記処理部は、前記第２の処理を行う際に、前記医療用レポートをテキスト形式で前記第２の表示領域にレイアウト表示させる。
【０００９】
好適には、前記定義データは、前記データ入力による入力事項と、医療に関する所定の所見事項とが関連付けられ、前記処理部は、前記記憶部に格納された前記定義データに従って、前記データ入力による前記入力事項を前記所定の所見事項に関連付けた前記医療用レポートを作成する。
【００１０】
好適には、前記第１の表示領域と前記第２の表示領域とは、互いに隣接している。
【００１１】
好適には、前記定義データは、前記定義データは、マークアップ言語による、少なくとも前記レイアウトに関する記述を含み、前記処理部は、前記表示部に表示すべき前記入力画面と前記出力画面とのレイアウト表示を前記マークアップ言語で処理する。
【００１２】
好適には、前記処理部は、前記第１の処理を行う際に、データを入力するための複数の入力欄を前記第１の表示領域に表示させ、前記第２の処理を行う際に、前記第１の処理によって前記第１の表示領域に表示された前記複数の入力欄の内、データが入力された入力欄の入力事項のみを前記所定の所見事項に関連付け、当該関連付けた事項のみを前記医療用レポートに反映させる。
【００１３】
好適には、前記医療用レポート作成端末は、前記第２の表示領域にレイアウト表示された前記医療用レポートの所望する箇所のデータ変更に関する操作を行う操作部を有し、前記処理部は、前記操作部によって、前記第２の処理後に、前記第２の表示領域にレイアウト表示された前記医療用レポートの一部の前記データ変更に関する指示を受けた場合には、前記指示に従って、変更すべきデータを前記医療用レポートに反映させる。
【００１４】
本発明の医療用レポート作成方法は、記憶部に格納された、表示部の第１の表示領域に表示すべき入力画面のレイアウトを少なくとも定義する定義データに従って、前記表示部の出力画面に表示すべき医療用レポートを作成するためのデータ入力を促す前記入力画面を生成するステップと、前記入力画面を前記表示部の前記第１の表示領域に表示させるステップと、前記データ入力によるデータを反映させた前記医療用レポートの少なくとも一部を表示する前記出力画面を生成するステップと、前記出力画面を前記表示部の第２の表示領域にレイアウト表示させるステップとを有する。
【００１５】
本発明のプログラムは、記憶部に格納された、表示部の第１の表示領域に表示すべき入力画面のレイアウトを少なくとも定義する定義データに従って、前記表示部の出力画面に表示すべき医療用レポートを作成するためのデータ入力を促す前記入力画面を生成する処理と、前記入力画面を前記表示部の前記第１の表示領域に表示させる処理と、前記データ入力によるデータを反映させた前記医療用レポートの少なくとも一部を表示する前記出力画面を生成する処理と、前記出力画面を前記表示部の第２の表示領域にレイアウト表示させる処理とをコンピュータに実行させる。
【発明の効果】
【００１６】
本発明によれば、医療用レポート等の作成時に、これを編集しながら出力レイアウトを把握することが容易となる。
【図面の簡単な説明】
【００１７】
【図１】図１は、本発明の実施形態に係る医療用レポートシステムの構成例を示す概念図である。
【図２】図２は、本発明の実施形態に係る医療用レポート作成端末の構成例を示す概略ブロック図である。
【図３】図３は、本発明の実施形態に係る表示部に表示される表示画面の構成例を示す模式図である。
【図４】図４は、図３に図示するパレット領域の部分拡大図である。
【図５】図５は、図３に図示するキャンバス領域の部分拡大図である。
【図６】図６は、本発明の実施形態に係る定義ファイルを説明するための図である。
【図７】図７は、本発明の実施形態に係るレイアウト調整を説明するための模式図である。
【図８】図８は、本発明の実施形態に係る医療用レポート作成端末の動作の全体像を示すフローチャートである。
【図９】図９は、本発明の実施形態に係る医療用レポートの表示例を示す模式図である。
【図１０】図１０は、図８に図示するステップＳＴ１の詳細な処理内容の例を示すフローチャートである。
【図１１】図１１は、図８に図示するステップＳＴ２の詳細な処理内容の例を示すフローチャートである。
【図１２】図１２は、図８に図示するステップＳＴ３の詳細な処理内容を示すフローチャートである。
【図１３】図１３は、図８に図示するステップＳＴ５の詳細な処理内容を示すフローチャートである。
【図１４】図１４は、図８に図示するステップＳＴ６の詳細な処理内容を示すフローチャートである。
【図１５】図１５は、本発明の実施形態に係る医療用レポートシステムの動作例を説明するための模式概念図である。
【図１６】図１６は、本発明の実施形態に係る表示部に表示される表示画面の変形例を示す模式図である。
【図１７】図１７は、本発明の実施形態に係る表示部の表示例を示す模式概念図である。
【発明を実施するための形態】
【００１８】
以下、本発明の実施形態を図面に関連付けて説明する。
【００１９】
［医療用レポートシステムの構成例］
本発明の実施形態に係る医療用レポート作成端末は、医療用レポートシステムの一部を構成するものである。始めに、医療用レポートシステムの全体像を図１に関連付けて説明する。
【００２０】
図１は、本発明の実施形態に係る医療用レポートシステムの構成例を示す概念図である。
図１に図示するように、医療用レポートシステム１は、複数の医療用レポート作成端末１０、モダリティ２０、サーバ３０、およびネットワーク４０を有する。
【００２１】
医療用レポートシステム１は、医療機器が生成した医用画像を基に、医療用レポート作成端末１０を使用して、所見等が記載された医療用レポートを作成するためのシステムである。
【００２２】
医療機器には、例えば、超音波診断装置、ＭＲＩ（核磁気共鳴画像法；Magnetic Resonance Imaging）装置、ＣＴ（コンピュータ断層撮影；Computed Tomography）装置等が含まれ、これらはモダリティ（Modality）と呼ばれる。医療用レポートには、読影レポート、診断レポート、カルテ等、所見に関する書類が含まれる。
【００２３】
医療用レポートシステム１の使用者は、主に、読影者や医師などの医療従事者を想定している。医療用レポート自体は、読影者によって作成されることが多いため、医療用レポート作成端末１０の使用者は、読影者であるものと想定して説明を行う。
【００２４】
医療用レポート作成端末１０は、モダリティ２０によって生成された医用画像が表示され、使用者がこれを目視して下した診断結果を基に、医療用レポートを作成する医療用レポート作成機能を有する。この医療用レポート作成機能の実行時には、使用者が、入力画面に表示されたダイアログボックス（Dialog Box）に診断結果を入力するだけで、医療用レポートを容易に作成することができる。
【００２５】
更に、作成した医療用レポートの出力イメージを把握することができるように、出力画面に医療用レポートがレイアウト表示される。なお、レイアウト表示とは、印刷物のように、文字（文章）の構成や配置等がレイアウト通りに表示されるものである。
【００２６】
医療用レポート作成端末１０は、サーバ３０から医用画像を取得し、これを表示部に表示する。使用者は、この医用画像を基に診断を下す。医療用レポート作成端末１０は、表示部の入力画面に診断結果を入力するためのダイアログボックスを表示する。使用者が、診断結果を入力すると、医療用レポート作成端末１０は、医療用レポートを作成し、かつ、出力画面に医療用レポートをレイアウト表示する。
【００２７】
なお、医療用レポート作成端末１０をネットワーク４０に接続し、医療用レポートシステム１の一部として使用することも、医療用レポート作成端末１０とネットワーク４０との接続を確立せずにスタンドアロン（Stand-Alone）で使用することもできる。
【００２８】
モダリティ２０は、患者の検査を上述の医療機器を用いて行い、医用画像を生成する。この医用画像は、ＤＩＣＯＭ（Digital Imaging and COmmunication in Medicine）規格に準拠していることが望ましい。
【００２９】
この他、モダリティ２０は、医用画像の生成時に、部位データを医用画像と並行して生成する。この部位データは、医用画像に写る患部の部位を示すテキストデータである。例えば、モダリティ２０が心臓超音波検査により、心臓の医用画像を生成した場合には、部位データは、「僧帽弁」、「大動脈弁」、「左室」などを指す。モダリティ２０は、生成した医用画像や部位データをサーバ３０へ送信する。
【００３０】
サーバ３０は、モダリティ２０が生成した医用画像を医療用レポート作成端末１０に提供するためのサーバである。詳細には、サーバ３０は、ネットワーク４０を介して取得した医用画像を記憶装置（不図示）に記憶させる。そして、サーバ３０は、記憶装置の医用画像を読み出し、これを医療用レポート作成端末１０に出力する。この他、サーバ３０は、医療用レポート作成、あるいは、各々の医療用レポート作成端末１０で作成された医療用レポートの管理等も行う。
【００３１】
ネットワーク４０は、例えば、ＬＡＮ（Local Area Network）によって構築されたネットワークである。ネットワーク４０には、複数の医療用レポート作成端末１０、モダリティ２０、およびサーバ３０が接続されている。ネットワーク４０に接続された各種機器間で、データの授受が可能となる。
【００３２】
［医療用レポート作成端末１０の構成例］
医療用レポートシステム１は、Ｎ（＝２，３，…）台の医療用レポート作成端末１０を有するが、医療用レポート作成端末１０は、１台であってもよい。以下、任意の１台の医療用レポート作成端末１０について説明する。
【００３３】
本発明の実施形態の特徴である医療用レポート作成端末１０を図２に関連付けて説明する。
図２は、本発明の実施形態に係る医療用レポート作成端末の構成例を示す概略ブロック図である。ただし、図２には、医療用レポート作成端末１０における信号処理系の主要部のみが例示されている。
【００３４】
図２に図示する医療用レポート作成端末１０は、操作部１１、処理部１２、記憶部１３、表示部１４、および入出力制御部１５を有する。
【００３５】
医療用レポート作成端末１０は、コンピュータとしての機能を有し、プログラムに従って、医療用レポートの作成に関する種々の処理を行う。なお、このプログラムには、医療用レポートの作成に関するプログラムを始め、医用画像を閲覧するためのアプリケーションプログラム、オペレーティングシステム（OS:Operating System）等が含まれる。
【００３６】
操作部１１は、例えば、キーボード、マウス等の入力デバイスで構成されている。キーボードあるいはマウスの操作により、表示部１４の入力画面に所見等のデータを入力する。操作部１１は、入力デバイスを用いて入力された入力内容を電気信号に変換し、これを指示信号Ｓ１として処理部１２に出力する。
【００３７】
処理部１２は、例えば、ＣＰＵ（Central Processing Unit）、ＤＳＰ（Digital Signal Processor）等によって、種々の情報処理が可能に構成されている。
【００３８】
ここでは、処理部１２の動作の一例を挙げる。処理部１２は、操作部１１から指示信号Ｓ１が入力されると、この指示信号Ｓ１に応じた処理を行う。
【００３９】
処理部１２は、記憶部１３に格納された定義ファイル１３１等のデータをデータＳ２として読み出す。そして、処理部１２は、定義ファイル１３１に従って、医療用レポートを作成するためのデータ入力を促す入力画面を生成し、これを映像信号Ｓ３として表示部１４に出力する処理（第１の処理）を行う。
【００４０】
処理部１２は、データ入力によるデータを反映させたテキスト形式の医療用レポートを表示する出力画面を生成し、これを映像信号Ｓ３として表示部１４に出力する処理（第２の処理）を行う。処理部１２は、入出力制御部１５との間で入出力されるデータＳ４の処理を行う。
【００４１】
記憶部１３は、例えば、メモリ、ハードディスク等の記憶媒体で構成され、処理部１２によってアクセスされる。記憶部１３には、医療用レポートを作成するための定義ファイル（定義データ）１３１が格納されている。この他、記憶部１３には、オペレーティングシステム、アプリケーションプログラム、プログラムの処理過程で利用される一時的なデータ等が格納される。各種処理の実行時には、処理対象のデータがメモリに格納されていることが望ましい。
【００４２】
定義ファイル１３１は、表示部１４に表示すべき入出力画面のレイアウト等が定義されている。なお、定義ファイル１３１は、プログラミングの容易性や汎用性の観点から、マークアップ言語で記述されていることが望ましい。他の言語を使用することも可能であるが、上述の観点から、マークアップ言語の使用が好適である。定義ファイル１３１の詳細については、後述する。
【００４３】
表示部１４は、例えば、ＣＲＴ（Cathode Ray Tub）、液晶ディスプレイ（Liquid Crystal Display）等の表示デバイスで構成されている。表示部１４は、処理部１２から供給された映像信号Ｓ３に応じた種々の情報を表示する。具体的には、表示部１４は、医療用レポートを作成するためのウインドウ、医療用レポート、サーバ３０から取得した医用画像等を表示する。
【００４４】
入出力制御部１５は、処理部１２と、ネットワーク４０を介して行われるサーバ３０や他の医療用レポート作成端末との間で授受されるデータの調停を行う。
【００４５】
入出力制御部１５には、例えば、磁気ディスク、光ディスク等の記録媒体を使用する周辺機器やプリンタを接続することが可能である。この場合、入出力制御部１５は、処理部１２と、接続された周辺機器との間で授受されるデータの調停を行う。このような周辺機器の記録媒体に、モダリティ２０によって生成された医用画像を格納させ、ネットワーク４０を介することなく、直接、医用画像を医療用レポート作成端末１０に入力することができる。
【００４６】
［表示部１４の表示画面の構成例］
表示部１４に表示される表示画面の構成例を図３〜図５に関連付けて説明する。
図３は、本発明の実施形態に係る表示部に表示される表示画面の構成例を示す模式図である。
【００４７】
図３に図示するように、表示部１４は、医療用レポート作成機能の実行時に、ウインドウＷＩＮを表示する。このウインドウＷＩＮ内部は、パレット領域（第１の表示領域）ＡＲＥ１と、キャンバス領域（第２の表示領域）ＡＲＥ２とによって構成されている。このように、一つのウインドウＷＩＮ内部にて２つの領域が隣接していることから、使用者の視点の移動を最小限にすることができる。
【００４８】
パレット領域ＡＲＥ１は、入力画面を表示するための領域である。パレット領域ＡＲＥ１には、データ入力を対話的かつ容易に行えるように、ダイアログボックスが表示されている。
【００４９】
パレット領域ＡＲＥ１には、医用画像の所見に関する複数の項目Ａ１〜Ａ３がカテゴリーごとに表示されている。各々の項目Ａ１〜Ａ３には、所見の内容に合わせて、ラジオボタンＢ１、チェックボックスＢ２、プルダウンメニューボックスＢ３が好適に隣接して表示されている。なお、これらの各種ボックスは、単に入力ボックス（入力欄）ともいう。タブＢ４によって、例えば、患部の部位データごとに項目を表示することができる。
【００５０】
キャンバス領域ＡＲＥ２は、出力画面を表示するための領域である。キャンバス領域ＡＲＥ２には、パレット領域ＡＲＥ１に表示された入力ボックスの入力内容に応じた医療用レポートの所見欄が表示される。所見欄には、医療従事者による診断結果が記述される。このとき、キャンバス領域ＡＲＥ２には、医療用レポートの所見欄がテキスト形式でレイアウト表示される。
【００５１】
キャンバス領域ＡＲＥ２の上方には、挿入ボタンＢ５と、取り消しボタンＢ６とが表示されている。この領域の下方には、ＯＫボタンＢ７と、キャンセルボタンＢ８とが表示されている。
【００５２】
挿入ボタンＢ５は、パレット領域ＡＲＥ１に入力した内容を確定する場合にクリックされる。取り消しボタンＢ６は、一旦挿入ボタンＢ５がクリックされた後に、医療用レポートの作成を取り消す場合にクリックされる。
【００５３】
ＯＫボタンＢ７は、キャンバス領域ＡＲＥ２に医療用レポートが表示され、これをプレビューあるいは印刷する場合にクリックされる。キャンセルボタンＢ８は、一旦ＯＫボタンＢ７がクリックされた後に、プレビューあるいは印刷を取り消す場合にクリックされる。
【００５４】
［パレット領域ＡＲＥ１］
以下、パレット領域ＡＲＥ１の表示内容の具体例を図４に関連付けて説明する。
図４は、図３に図示するパレット領域の部分拡大図である。ただし、図４には、パレット領域ＡＲＥ１の一部のみが抜粋されて表示されている。
【００５５】
図４の説明では、モダリティ２０によって「心臓超音波検査」が行われたものとする。図４には、「僧帽弁」、「大動脈弁」などの複数の部位の内、「僧帽弁」の項目を示すタブＢ４が選択された場合が例示されている。
【００５６】
項目Ａ１には、「所見あり」と、「所見なし」という項目が表示され、項目Ａ１の左隣には、ラジオボタンＢ１が表示されている。例えば、マウスカーソル（不図示）の操作によって、ラジオボタンＢ１をクリックすると、このボタンがオンとなり、項目Ａ１を選択することができる。
【００５７】
項目Ａ２は、「左室壁肥厚」、「左室壁性状」等のカテゴリーに分類されている。例えば、「左室壁肥厚」というカテゴリーには、「肥厚は前室中隔の前半部に限局している」、「肥厚は心室中隔全体に認められる」等の項目Ａ２が表示され、各項目Ａ２の左隣には、チェックボックスＢ２が各々表示されている。チェックボックスＢ２にチェックを入れた項目のみが選択される。
【００５８】
項目Ａ３は、「傍胸骨左線長軸像」、「心尖部４腔像」等のカテゴリーに分類されている。例えば、「傍胸骨左線長軸像」というカテゴリーには、「領域」、「壁運動」等の項目Ａ３が表示され、各項目Ａ３の左隣には、プルダウンメニューボックスＢ３が各々表示されている。プルダウンメニューボックスＢ３により、「後壁乳頭筋レベル」等の複数のメニューの内、いずれか一のメニューを選択することができる。
【００５９】
この他、テキストボックスやコンボボックス等、種々の入力ボックスを好適に設けることができる。なお、テキストボックスは、数値等の文字を入力するための入力ボックスである。コンボボックスは、数値等の文字を直接入力できるだけでなく、プルダウンメニューボックスのように、複数のメニューの内、いずれか一のメニューを選択することができる入力ボックスである。
【００６０】
［キャンバス領域ＡＲＥ２］
以下、キャンバス領域ＡＲＥ２の表示の具体例を図５に関連付けて説明する。
図５は、図３に図示するキャンバス領域の部分拡大図である。ただし、図５には、キャンバス領域ＡＲＥ２の一部のみが抜粋されて表示されている。
【００６１】
図５に図示するように、キャンバス領域ＡＲＥ２には、パレット領域ＡＲＥ１の入力事項に応じた内容が反映された医療用レポートが、テキスト形式でレイアウト表示されている。
【００６２】
具体的には、「所見あり」のラジオボタンＢ１がオンにされた場合には、所見欄Ｃ１に「所見あり」という文章が記述され、その下方の所見欄Ｃ２、Ｃ３に詳細な所見が記述される。一方、「所見なし」のラジオボタンＢ１がオンにされた場合には、所見欄Ｃ１に「所見なし」という文章のみが記述される。
【００６３】
所見欄Ｃ２には、「左室壁肥厚」等のカテゴリーの名称と共に、チェックボックスＢ２にチェックされた項目Ａ２の内容が記述される。例えば、「肥厚は前室中隔の前半部に限局している」のチェックボックスＢ２がチェックされた場合には、所見欄Ｃ２に「肥厚は前室中隔の前半部に限局している」という文章が記述される。
【００６４】
所見欄Ｃ３には、「傍胸骨左線長軸像」等のカテゴリーの名称と共に、プルダウンメニューボックスＢ３で選択された項目Ａ３の内容が記述される。例えば、プルダウンメニューボックスＢ３の「後壁乳頭筋レベル」が選択された場合には、所見欄Ｃ３に、「領域  後壁乳頭筋レベル」という文章が記述される。
【００６５】
このように、パレット領域ＡＲＥ１での入力内容が、キャンバス領域ＡＲＥ２に反映される。キャンバス領域ＡＲＥ２には、所見等の医療用レポートがテキスト形式でレイアウト表示されているため、表示された文字を直接編集することもできる。
【００６６】
ただし、パレット領域ＡＲＥ１に表示された複数の事項の内、入力された事項のみがキャンバス領域ＡＲＥ２に反映される。以下に、入力事項がキャンバス領域ＡＲＥ２に反映される条件について説明する。
【００６７】
ラジオボタンＢ１は、例えば、「所見有り」、「所見なし」のように、２つのラジオボタンＢ１が１組として設けられる。このため、ラジオボタンＢ１を使用する場合には、２つのラジオボタンＢ１の内、いずれか一方が選択されている場合に、入力事項がキャンバス領域ＡＲＥ２に反映される。
【００６８】
チェックボックスＢ２を使用する場合には、チェックが入力されている場合に、入力事項がキャンバス領域ＡＲＥ２に反映される。プルダウンメニューボックスＢ３を使用する場合には、ブランク（空白）以外が選択されているときに、入力事項がキャンバス領域ＡＲＥ２に反映される。
【００６９】
［定義ファイル１３１の詳細］
図４に図示するように、入力画面としてのパレット領域ＡＲＥ１には、入力事項が一目で把握できるように、複数の項目Ａ１〜Ａ３と、ラジオボタンＢ１等の入力ボックスで構成されたダイアログボックスが表示されている。そして、図５に図示するように、キャンバス領域ＡＲＥ２には、所見等の医療用レポートが整形されてレイアウト表示されている。
【００７０】
このような入出力画面を生成するためのレイアウトは、定義ファイル１３１に定義されている。処理部１２は、定義ファイル１３１に従って表示部１４の入出力画面を生成し、これらを表示部１４に表示させる。以下、定義ファイル１３１の一例を図６に関連付けて説明する。
【００７１】
図６は、本発明の実施形態に係る定義ファイルを説明するための図である。なお、図６には、モダリティ２０によって「腹部超音波検査」が行われた場合の入出力画面が例示されている。
【００７２】
図６に図示するように、パレット領域ＡＲＥ１は、要素Ｅ１１〜Ｅ１４によって構成されている。キャンバス領域ＡＲＥ２も、要素Ｅ２１〜Ｅ２４によって構成されている。これらの各要素（element）は、マークアップ言語における開始タグ（start tag）と終了タグ（end tag）とで囲まれた文字列で表現される。
【００７３】
パレット領域ＡＲＥ１の要素Ｅ１１は、タブＢ４によって選択された入力画面を表示する領域を構成する要素である。一方、キャンバス領域ＡＲＥ２の要素Ｅ２１は、医療用レポートを表示する領域の要素である。
【００７４】
パレット領域ＡＲＥ１の要素Ｅ１２は、入力項目やテキストボックスＢ９に入力された値等を表示する領域の要素である。一方、キャンバス領域ＡＲＥ２の要素Ｅ２１は、テキストボックスＢ９に入力された値等、要素Ｅ１２に関するものを表示する領域の要素である。
【００７５】
パレット領域ＡＲＥ１の要素Ｅ１３は、テキストボックスＢ９の前後に表示される「横」、「縦」等のプレフィックス（prefix）と、「ｍｍ」等のサフィックス（suffix）とを表示する領域の要素である。一方、キャンバス領域ＡＲＥ２の要素Ｅ２３は、プレフィックスとサフィックスとを表示する領域の要素である。
【００７６】
パレット領域ＡＲＥ１の要素Ｅ１４は、項目、ラジオボタンＢ１、チェックボックスＢ２、プルダウンメニューボックスＢ３等の入力ボックスを表示する領域の要素である。一方、キャンバス領域ＡＲＥ２の要素２４は、要素Ｅ１４内の表示内容に関する領域の要素である。
【００７７】
定義ファイル１３１には、好ましくは、上述した各要素がマークアップ言語の文法に従って記述されている。処理部１２は、定義ファイル１３１の記述されたパレット領域ＡＲＥ１の要素Ｅ１１〜Ｅ１４を基に、パレット領域ＡＲＥ１を表示するためのコンポーネントを生成する。処理部１２は、このコンポーネントを基に、パレット領域ＡＲＥ１に入力画面を表示させる。
【００７８】
このように、パレット領域ＡＲＥ１の各要素Ｅ１１〜Ｅ１４と、キャンバス領域ＡＲＥ２の各要素Ｅ２１〜Ｅ２４は、各々対応関係にある。
【００７９】
使用者によって、パレット領域ＡＲＥ１の入力ボックスにデータが入力された後、処理部１２は、入力データと、定義ファイルに記述されたキャンバス領域ＡＲＥ２の要素Ｅ２１〜Ｅ２４とに従って、キャンバス領域ＡＲＥ２を表示するためのコンポーネントを生成する。そして、処理部１２は、このコンポーネントを基に、入力内容を反映した医療用レポートをキャンバス領域ＡＲＥ２に表示させる。
【００８０】
即ち、定義ファイル１３１には、入出力画面を生成するために、どのような要素を使用し、使用すべき入力ボックスや入力項目をどのように表示すべきかという定義がされている。このような定義は、実際に使用する医療用レポートに基づいた要件定義がなされる。パレット領域ＡＲＥ１での入力内容がキャンバス領域ＡＲＥ２に反映されるように、入力内容と出力内容との関連付けも定義されている。
【００８１】
例えば、「所見あり」というラジオボタンＢ１のオン動作と、「所見あり」という文章とが関連付けられている。同様に、「所見なし」というラジオボタンＢ１のオン動作と、「所見なし」という文章とが関連付けられている。
【００８２】
例えば、「肥厚は前室中隔の前半部に限局している」というチェックボックスＢ２のチェックと、「肥厚は前室中隔の前半部に限局している」という文章とが関連付けられている。例えば、プルダウンメニューボックスＢ３の「後壁乳頭筋レベル」という選択と、「領域  後壁乳頭筋レベル」という文章が関連付けられている。
【００８３】
［レイアウト調整］
定義ファイル１３１には、よりきめ細やかなレイアウトを定義することができる。以下に、具体例を図７に関連付けて説明する。
【００８４】
図７は、本発明の実施形態に係るレイアウト調整を説明するための模式図である。
図７に図示するように、ウインドウＷＩＮ内部のパレット領域ＡＲＥ１には、複数の項目Ａ１，Ａ２と、各種入力ボックス（Ｂ１〜Ｂ３）とが表示されている。キャンバス領域ＡＲＥ２には、所見欄Ｃ１〜Ｃ３、サブタイトルＣ４等が表示されている。
【００８５】
定義ファイル１３１には、例えば、項目Ａ１の表示開始位置からラジオボタンＢ１までの間隔Ｄ１や、項目Ａ２の表示開始位置からプルダウンメニューボックスＢ３までの間隔Ｄ２等が定義されている。
【００８６】
この他、定義ファイル１３１には、例えば、サブタイトルＣ４のインデントＤ３、所見欄Ｃ１および所見欄Ｃ２のインデントＤ４、所見欄Ｃ３のインデントＤ５、プレフィックスから所見欄Ｃ２の文字開始位置までの間隔Ｄ６、プレフィックスから所見欄Ｃ３の文字開始位置までの間隔Ｄ７等が定義されている。
【００８７】
例えば、メニューが表示されるプルダウンメニューボックスＢ３、値を入力するためのテキストボックスＢ９、コンボボックス等を使用する場合には、定義ファイル１３１に表示すべきメニュー内容や初期値等も併せて定義されている。
【００８８】
上述のテキストボックスＢ９は、例えば、患部の計測値を入力する場合に設けられるが、検査内容によっては、値を入力する必要がない場合がある。このような場合、キャンバス領域ＡＲＥ２には、例えば、「腫瘍    （ブランク）    ｃｍ」のように、プレフィックス（「腫瘍」）とサフィックス（「ｃｍ」）との間に、ブランクが出力される。このため、医療用レポートには、具体的な値のない、不必要な情報が記載されてしまう。
【００８９】
そこで、医療用レポート作成端末１０は、上述したような場合に対応するため、第１の出力モードと、第２の出力モードとを有する。第１の出力モードは、テキストボックスＢ９に値が入力された場合にのみ、この値をキャンバス領域ＡＲＥ２に反映させるモードである。第２の出力モードは、テキストボックスＢ９に値が入力されていなくても、ブランクと共にプレフィックスやサフィックスをキャンバス領域ＡＲＥ２に反映させるモードである。第１の出力モードと第２の出力モードとは、これらを切り替えるための選択画面において、好適に選択される。なお、デフォルト（default）では、第１の出力モードが選択されている。
【００９０】
始めに、第１の出力モードが選択された場合について説明する。以下の説明では、パレット領域ＡＲＥ１にテキストボックスＢ９が設けられ、腫瘍の大きさに関する項目が表示されているものとする。具体的には、「腫瘍［（テキストボックスＢ９）］ｃｍ」のように、テキストボックスＢ９の前部には、プレフィックス「腫瘍」が表示され、その後部にはサフィックス「ｃｍ」が表示されているものとする。
【００９１】
テキストボックスＢ９に値（例えば１）が入力された場合、キャンバス領域ＡＲＥ２には、「腫瘍１ｃｍ」のように、入力値と共にプレフィックスやサフィックスが表示される。一方、テキストボックスＢ９に値が入力されない場合、キャンバス領域ＡＲＥ２には、プレフィックスもサフィックスも表示されず、ブランクのみが表示される。即ち、腫瘍に関する項目は表示されない。
【００９２】
次に、第２の出力モードが選択された場合について説明する。テキストボックスＢ９に値が入力された場合、第１の出力モードと同様に、キャンバス領域ＡＲＥ２には、入力値と共にプレフィックスやサフィックスが表示される。一方、テキストボックスＢ９に値が入力されない場合、キャンバス領域ＡＲＥ２には、「腫瘍    （ブランク）    ｃｍ」のように、ブランクと共にプレフィックスやサフィックスが表示される。
【００９３】
このように、第１の出力モードが選択された場合には、テキストボックスＢ９に値が入力されたときにのみ、キャンバス領域ＡＲＥ２に項目が反映されるため、使用者は必要とする情報のみを把握することができる。一方、第２の出力モードが選択された場合には、テキストボックスＢ９への値の入力の有無に関係なく項目が表示されるため、表示レイアウトを崩すことなく、定められたフォーマット形式の医療用レポートを作成することができる。第２の出力モードは、入力すべき値が無くても、検査項目を表示させたい場合に有用である。
【００９４】
上述の説明では、テキストボックスＢ９を例に挙げたが、ブランクの選択肢を有するプルダウンメニューボックスＢ３等にも第１の出力モードと第２の出力モードとを適用することができる。これらのモードによる上述の動作は、定義ファイル１３１に定義されている。
【００９５】
定義ファイル１３１の定義内容は、上述した定義の他、種々の表示あるいは操作に関する定義が可能である。一例を挙げると、フォント、フォントサイズ、ウインドウＷＩＮのスクロール方法、ショートカットキーにおけるキーの割当等を定義ファイル１３１に定義することができる。
【００９６】
以上述べたように、処理部１２は、定義ファイル１３１に記述された要素Ｅ１１〜Ｅ１４、要素Ｅ２１〜Ｅ２４に従って、入力内容を反映させた医療用レポートをキャンバス領域ＡＲＥ２に表示させる。
【００９７】
ところで、医療用レポートは、医療用レポート作成端末１０をスタンドアロンで使用しても、医療用レポートシステム１を使用しても作成することができる。始めに、医療用レポート作成端末１０をスタンドアロンで使用して、医療用レポートを作成する場合について説明する。
【００９８】
［医療用レポート作成端末１０の動作の全体像］
図８は、本発明の実施形態に係る医療用レポート作成端末の動作の全体像を示すフローチャートである。
ただし、この場合、医療用レポート作成端末１０は、第１の出力モードが選択され、医療用レポートの作成に必要な医用画像や患部の部位データ等を取得しているものとする。
【００９９】
図８に図示するように、使用者は、操作部１１を用いて、医療用レポート作成機能を実行するための操作を行う（ステップＳＴ１）。この操作により、表示部１４のウインドウＷＩＮ上に、パレット領域ＡＲＥ１が表示される（図３参照）。
【０１００】
次に、使用者は、操作部１１を用いて、表示部１４に表示されたパレット領域ＡＲＥ１の入力ボックスにデータを入力する（ステップＳＴ２）。
【０１０１】
その後、使用者は、ウインドウＷＩＮ上の挿入ボタンＢ５をクリックし、パレット領域ＡＲＥ１内の入力ボックスに入力したデータをキャンバス領域ＡＲＥ２に出力させる（ステップＳＴ３）。この操作により、パレット領域ＡＲＥ１での入力内容が、キャンバス領域ＡＲＥ２に反映され、医療用レポートの所見等がテキスト形式でレイアウト表示される（図５参照）。
【０１０２】
この段階で、キャンバス領域ＡＲＥ２に表示された医療用レポートを編集（変更）することができる（ステップＳＴ４）。
【０１０３】
ステップＳＴ４において、医療用レポートを編集する場合には（ＹＥＳ）、使用者は、操作部１１を用いて、編集すべき箇所を編集する（ステップＳＴ５）。この編集では、新たな文章の追記、表示されている文章の書き換え、あるいは、これらの消去が可能である。
【０１０４】
以下、キャンバス領域ＡＲＥ２に反映されている、ある所見（例えば、腫瘍の大きさに関する項目「腫瘍１ｃｍ」）の下段に、他の値（例えば、「腫瘍２ｃｍ」）を追記する場合を例に挙げて説明する。このとき、使用者は、テキストボックスＢ９に値（例えば、腫瘍の大きさ）を入力するものとする。
【０１０５】
ステップＳＴ３において、医療用レポートが作成されたとき、医療用レポートの最後尾の文字にカーソルが表示される。なお、このカーソルの位置は、使用者が所望する場所に変更することができる。このため、使用者は、パレット領域ＡＲＥ１上にカーソルを一旦移動させた後、マウスの右ボタンをクリックして、操作メニューを呼び出す。このとき、追記対象となるテキストボックスＢ９上にカーソルを合わせることが望ましい。
【０１０６】
この操作メニューは、パレット領域ＡＲＥ１の入力データ（値）をクリア（消去）するための「クリアメニュー」、文章を選択的にコピーするための「コピーメニュー」、コピーした文章を所望する場所に貼り付ける（入力）ための「貼り付けメニュー」等、複数のメニューによって構成されている。無論、この操作メニューは、キーボードの操作により、呼び出すこともできる。
【０１０７】
その後、使用者は、クリアメニューを選択する。この操作により、パレット領域ＡＲＥ１のテキストボックスＢ９に入力されている値が消去され、新たな値が入力可能となる。この値の消去後、使用者は、追記したいテキストボックスＢ９に値を入力する。そして、使用者は、キャンバス領域ＡＲＥ２の追記すべき位置（例えば、腫瘍の大きさに関する項目「腫瘍１ｃｍ」）の下段）にカーソルを合わせた後、挿入ボタンＢ５をクリックする。このクリックにより、パレット領域ＡＲＥ１のテキストボックスＢ９に入力した値（例えば、２）が、キャンバス領域ＡＲＥ２の追記すべき位置に、「腫瘍２ｃｍ」のように反映される。
【０１０８】
上述の他、カーソルをキャンバス領域ＡＲＥ２の編集すべき位置に合わせた後に、直接文章を入力することや、消去することができる。なお、上述したステップＳＴ５の処理は、以下に述べるステップＳＴ６の処理が実行されるまで、何度でも繰り返すことができる。
【０１０９】
編集作業は、データの入力作業中に突発的に発生することが多い。したがって、どの項目に対して、どのような編集を行うかということを事前に予測することが困難である。一般的な医療用レポート作成端末では、入力フォーマットが固定されていることが多く、データの入力後、所望する項目（箇所）に対して編集することが困難である。これに対し、本実施形態では、上述した追記を始めとする編集を指定した位置で何度でも繰り返し行うことができる。
【０１１０】
医療用レポートの編集後、使用者は、ウインドウＷＩＮ上のＯＫボタンＢ７をクリックする（ステップＳＴ６）。
【０１１１】
一方、ステップＳＴ４において、医療用レポートを編集しない場合には（ＮＯ）、使用者は、ステップＳＴ６の処理と同様に、ウインドウＷＩＮ上のＯＫボタンＢ７をクリックする。ＯＫボタンＢ７のクリックにより、表示部１４には、プレビュー画面を表示するための新たなウインドウＷＩＮが表示される。
【０１１２】
［プレビュー画面］
図９は、本発明の実施形態に係る医療用レポートの表示例を示す模式図である。
ステップＳＴ６の処理によってＯＫボタンＢ７がクリックされると、表示部１４には、図９に図示するプレビュー画面が新たなウインドウＷＩＮ内に表示される。
【０１１３】
このプレビュー画面は、実際に作成すべき医療用レポートがレイアウト表示されたものである。医療用レポートには、所見欄Ｃ１〜Ｃ３、サブタイトルＣ４の他に、タイトルＣ５、プリアンブルＣ６が記載されている。これらのタイトルＣ５やプリアンブルＣ６は、設定画面（不図示）にて別途設定される。
【０１１４】
タイトルＣ５には、例えば、「心臓超音波検査報告書」というタイトルが記述されている。プリアンブルＣ６には、例えば、患者の氏名、患者の性別、受付番号、検査年月日、検査部位、医師の氏名等が記述されている。必要に応じて、この医療用レポートを印刷することができる。なお、キャンバス領域ＡＲＥ２に、医療用レポートの所見欄だけではなく、タイトルやプリアンブル等を合わせてレイアウト表示させることもできる。
【０１１５】
［ステップＳＴ１の処理内容］
医療用レポート作成機能を実行するためのステップＳＴ１の処理内容を詳細に説明する。
図１０は、図８に図示するステップＳＴ１の詳細な処理内容の例を示すフローチャートである。
【０１１６】
図１０に図示するように、処理部１２は、操作部１１から医療用レポート作成機能を実行するための指示信号Ｓ１が入力されると（ステップＳＴ１１）、次の処理を行う。
【０１１７】
詳細には、処理部１２は、記憶部１３にアクセスし、これに格納されている定義ファイル１３１をデータＳ２として読み出す（ステップＳＴ１２）。
【０１１８】
その後、処理部１２は、定義ファイル１３１に記述されている複数の要素の内、使用すべき要素を取得する。このとき、処理部１２は、使用者が選択した検査項目（例えば、心臓超音波検査）に合わせて、使用すべき要素を取得する。そして、処理部１２は、取得した要素を保持しておくため、これを記憶部１３に一旦格納する（ステップＳＴ１３）。
【０１１９】
次に、処理部１２は、内部処理により、取得した要素から生成すべきコンポーネントの生成ルールを取得する（ステップＳＴ１４）。
【０１２０】
その後、処理部１２は、この生成ルールに基づいて、コンポーネントを生成し、これを映像信号Ｓ３として表示部１４に出力する（ステップＳＴ１５）。
【０１２１】
このコンポーネントは、ウインドウＷＩＮ上のパレット領域ＡＲＥ１に入力画面（ダイアログボックス）を表示するためのものである。この入力画面には、プルダウンメニューボックスＢ３やテキストボックスＢ９等の種々の入力ボックスが含まれる。表示部１４は、映像信号Ｓ３を受けて、ウインドウＷＩＮ内にパレット領域ＡＲＥ１を表示する。
【０１２２】
定義ファイル１３１には、好ましくは、複数の要素がマークアップ言語の文法に従って記述されている。このため、処理部１２は、定義ファイル１３１に、使用すべき次の要素が記述されているか否かの判別を行う（ステップＳＴ１６）。
【０１２３】
ステップＳＴ１６において、次の要素がある場合には（ＹＥＳ）、処理部１２は、次の要素を取得するため、ステップＳＴ１３の処理を行う。一方、次の要素がない場合には（ＮＯ）、処理部１２は、一連の処理を終了する（ステップＳＴ１７）。
【０１２４】
［ステップＳＴ２の処理内容］
パレット領域ＡＲＥ１にデータを入力するためのステップＳＴ２の処理内容を詳細に説明する。
図１１は、図８に図示するステップＳＴ２の詳細な処理内容の例を示すフローチャートである。
【０１２５】
図１１に図示するように、処理部１２は、操作部１１から入力データ（入力値）としての指示信号Ｓ１が入力されると（ステップＳＴ２１）、この指示信号Ｓ１に対する処理を行う（ステップＳＴ２２）。
【０１２６】
詳細には、処理部１２は、入力値を表示部１４に表示されているパレット領域ＡＲＥ１の入力ボックスに表示させる。ただし、処理部１２は、パレット領域ＡＲＥ１に表示された複数の事項の内、入力された事項のみをキャンバス領域ＡＲＥ２に反映させる。
【０１２７】
ここでは、第１の出力モードが選択されている。このため、パレット領域ＡＲＥ１にテキストボックスＢ９が設けられた場合には、処理部１２は、テキストボックスＢ９に値が入力されたときにのみ、この値をキャンバス領域ＡＲＥ２に反映させる。他の入力ボックス、例えば、ブランクを含むプルダウンメニューボックスＢ３がパレット領域ＡＲＥ１に設けられた場合においても同様に、処理部１２は、ブランク以外のメニューが選択された場合にのみ、入力内容をキャンバス領域ＡＲＥ２に反映させる。そして、処理部１２は、この入力値を記憶部１３に格納した後、一連の処理を終了する（ステップＳＴ２３）。
【０１２８】
これにより、例えば、ラジオボタンＢ１のオンまたはオフ、チェックボックスＢ２のチェック、プルダウンメニューボックスＢ３のメニュー等がパレット領域ＡＲＥ１に反映される。
【０１２９】
［ステップＳＴ３の処理内容］
入力データをキャンバス領域ＡＲＥ２に出力するためのステップＳＴ３の処理内容を詳細に説明する。
図１２は、図８に図示するステップＳＴ３の詳細な処理内容を示すフローチャートである。
【０１３０】
図１２に図示するように、処理部１２は、ウインドウＷＩＮ上の挿入ボタンＢ５のクリックを示す指示信号Ｓ１が入力されると（ステップＳＴ３１）、次の処理を行う。
【０１３１】
詳細には、処理部１２は、記憶部１３にアクセスし、ステップＳＴ１３の処理にて格納しておいた要素をデータＳ２として読み出す（ステップＳＴ３２）。なお、この読み出された要素は、表示部１４のウインドウＷＩＮ内に表示されたパレット領域ＡＲＥ１を構成するものである。
【０１３２】
その後、処理部１２は、内部処理により、取得した要素からキャンバス領域ＡＲＥ２に対して生成すべきコンポーネントの生成ルールを取得する（ステップＳＴ３３）。このコンポーネントは、医療用レポートのテキストに関するものである。
【０１３３】
そして、処理部１２は、記憶部１３にアクセスし、ステップＳＴ３３の処理において取得したコンポーネントに対する入力値（ステップＳＴ２３を参照）を取得する（ステップＳＴ３４）。
【０１３４】
処理部１２は、ステップＳＴ３３の処理において取得したコンポーネントの生成ルールにより、入力値を整形し（ステップＳＴ３５）、出力用テキストに整形した入力値を書き込む（ステップＳＴ３６）。
【０１３５】
この出力用テキストは、記憶部１３に格納されており、入力値をキャンバス領域ＡＲＥ２に反映させるためのテキストファイルである。この整形により、キャンバス領域ＡＲＥ２に表示すべき所見欄Ｃ１〜Ｃ３（図５参照）への入力値が反映されたレイアウトが決定される。
【０１３６】
処理部１２は、記憶部１３に、使用すべき次の要素が格納されているか否かの判別を行う（ステップＳＴ３７）。
【０１３７】
ステップＳＴ３７において、次の要素がある場合には（ＹＥＳ）、処理部１２は、次の要素を記憶部１３から読み出すため、ステップＳＴ３２の処理を行う。
【０１３８】
一方、次の要素がない場合には（ＮＯ）、処理部１２は、記憶部１３にアクセスし、出力用テキストを基に医療用レポートを作成し、これを映像信号Ｓ３として表示部１４に出力する（ステップＳＴ３８）。これにより、表示部１４のキャンバス領域ＡＲＥ２には、パレット領域ＡＲＥ１の入力内容を反映した医療用レポートがテキスト形式でレイアウト表示される。このとき、処理部１２は、医療用レポートの最後尾の文字にカーソルを表示させる。その後、処理部１２は、一連の処理を終了する（ステップＳＴ３９）。
【０１３９】
［ステップＳＴ５の処理内容］
医療用レポートを編集するためのステップＳＴ５の処理内容を詳細に説明する。
図１３は、図８に図示するステップＳＴ５の詳細な処理内容を示すフローチャートである。
【０１４０】
図１３に図示するように、キャンバス領域ＡＲＥ２にレイアウト表示された医療用レポートを編集する場合には、処理部１２は、以下の処理を行う。
【０１４１】
詳細には、処理部１２は、操作部１１から編集（変更）すべきテキストを指示信号Ｓ１として受け取ると（ステップＳＴ５１）、記憶部１３にアクセスし、これに格納されている出力用テキストを操作内容に応じて編集する（書き換える）（ステップＳＴ５２）。そして、処理部１２は、編集後の出力用テキストをキャンバス領域ＡＲＥ２に反映させる映像信号Ｓ３を表示部１４に出力する。
【０１４２】
これにより、編集した文章がキャンバス領域ＡＲＥ２に反映される。その後、処理部１２は、一連の処理を終了する（ステップＳＴ５３）。
【０１４３】
［ステップＳＴ６の処理内容］
入力内容を確定するためのステップＳＴ６の処理内容を詳細に説明する。
図１４は、図８に図示するステップＳＴ６の詳細な処理内容を示すフローチャートである。
【０１４４】
図１４に図示するように、処理部１２は、ウインドウＷＩＮ上のＯＫボタンＢ７のクリックを示す指示信号Ｓ１が入力されると（ステップＳＴ６１）、次の処理を行う。
【０１４５】
詳細には、処理部１２は、キャンバス領域ＡＲＥ２にレイアウト表示されている医療用レポートのプレビュー画面を映像信号Ｓ３とし、これを表示部１４に出力する（ステップＳＴ６２）。
【０１４６】
これにより、表示部１４には、新たなウインドウＷＩＮ内に医療用レポートが表示される。その後、処理部１２は、一連の処理を終了する（ステップＳＴ６３）。
【０１４７】
［医療用レポートシステム１の動作例］
次に、医療用レポートシステム１を使用して医療用レポートを作成する場合について、図１５を参照しながら説明する。
図１５は、本発明の実施形態に係る医療用レポートシステムの動作例を説明するための模式概念図である。
【０１４８】
図１５に図示する医療用レポートシステム１では、医療用レポート作成端末１０の記憶部１３に定義ファイル１３１を格納する代わりに、サーバ３０の記憶装置３１に定義ファイル１３１ａが格納されている。この定義ファイル１３１ａは、上述した医療用レポート作成端末１０が有する定義ファイル１３１と同様のものである。
【０１４９】
医療用レポート作成端末１０は、サーバ３０と通信しながら、上述したスタンドアロンで使用する場合と同様の動作を行って、自端末で医療用レポートを作成する。ただし、医療用レポート作成端末１０は、自端末の記憶部１３から定義ファイル１３１を読み出すのではなく、サーバ３０の記憶装置３１から定義ファイル１３１ａを読み出す。
【０１５０】
医療用レポートシステム１では、各々の医療用レポート作成端末１０が、共通の定義ファイル１３１ａに従って医療用レポートを作成するため、どの医療用レポート作成端末１０を使用しても、入力画面と、レイアウトが共通の医療用レポートとを作成することができる。したがって、サーバ３０の定義ファイル１３１を変更するだけで、共通の医療用レポートを作成することができる。
【０１５１】
無論、医療用レポート作成端末１０が有する医療用レポート作成機能を実行することができるようにサーバ３０を構成することで、医療用レポート作成機能をサーバ３０に処理させることもできる。この場合、データの入力操作や医療用レポートの表示等は、医療用レポート作成端末１０によって行われる。
【０１５２】
［表示画面の変形例］
表示部１４の表示画面のレイアウトや表示内容は、好適に設定することができる。以下、具体例を図１６に関連付けて説明する。
図１６は、本発明の実施形態に係る表示部に表示される表示画面の変形例を示す模式図である。なお、図１６には、第２の出力モードが選択された場合が例示されている。
【０１５３】
図１６に図示するように、表示部１４に表示されるパレット領域ＡＲＥ１と、キャンバス領域ＡＲＥ２とは、ウインドウＷＩＮ内にて、上下方向に隣接していてもよい。図１６に図示するキャンバス領域ＡＲＥ２のように、「−」等の記号を使用して表や図形をテキスト形式で表示することもできる。パレット領域ＡＲＥ１の表示面積と、キャンバス領域ＡＲＥ２の表示面積との比率も、１：１である必要はなく、その比率を２：１等、好適に設定することができる。
【０１５４】
なお、第２の出力モードが選択された場合、パレット領域ＡＲＥ１のプルダウンメニューボックスＢ３や、テキストボックスＢ９に値が入力されていなくても、キャンバス領域ＡＲＥ２には、ブランクＢＬと共に、これらの入力ボックスに対応した項目が表示される。
【０１５５】
他に、一つのウインドウＷＩＮ内にパレット領域ＡＲＥ１を表示させ、他のウインドウＷＩＮ内にキャンバス領域ＡＲＥ２を表示させることができる。この場合、２つのウインドウＷＩＮを隣接させることも、離すことも可能である。このように、パレット領域ＡＲＥ１とキャンバス領域ＡＲＥ２とを離すことが可能であるが、使用者の視点の移動を低減させるためには、両者が隣接していることが好ましい。
【０１５６】
表示させるウインドウＷＩＮの表示座標を記憶部１３に記憶させることにより、医療用レポート作成機能を実行する度に、指定した位置でウインドウＷＩＮを表示させることもできる。
【０１５７】
医療用レポート作成端末１０の特徴として、モダリティ２０によって生成された医用画像と、医療用レポート作成機能を実行する際に表示されるウインドウＷＩＮとは、同一の表示部１４に表示される。この点を図１７に関連付けて説明する。
【０１５８】
図１７は、本発明の実施形態に係る表示部の表示例を示す模式概念図である。
図１７に図示するように、表示部１４には、医用画像ＩＭとウインドウＷＩＮとが表示される。図１７には、医用画像ＩＭ上にウインドウＷＩＮがオーバーラップされた状態が例示されている。
【０１５９】
仮に、医用画像を表示する表示部と、入出力画面を表示する表示部とが異なる場合には、使用者は、２つの表示部を適宜使い分ける必要がある。しかしながら、医療用レポート作成端末１０では、医用画像と入出力画面とが、同一の表示部１４に表示されるため、視点の移動が少なくて済み、使用者に掛かる疲労を低減させることができる。
【０１６０】
以上、本発明の実施形態によれば、医療用レポート作成端末１０は、表示部１４と、記憶部１３と、処理部１２とを有する。表示部１４は、ウインドウＷＩＮ内に、入力画面をダイアログボックスで表示するパレット領域ＡＲＥ１と、出力画面を表示するキャンバス領域ＡＲＥ２とを表示する。記憶部１３には、マークアップ言語で記述された定義ファイル１３１が格納されている。
【０１６１】
処理部１２は、医療用レポート作成機能を実行する際に、記憶部１３に格納されている定義ファイル１３１に従って、入力画面を生成し、これを表示部１４のパレット領域ＡＲＥ１に表示させる。そして、処理部１２は、入力内容がキャンバス領域ＡＲＥ２に反映されるように、医療用レポートを作成し、これを表示部１４のキャンバス領域ＡＲＥ２にレイアウト表示させる。
【０１６２】
このことから、使用者にとっては、簡単な操作でデータを入力することができるだけでなく、医療用レポートがテキスト形式で表示されるため、その編集が容易である。これに加え、出力する医療用レポートの出力イメージを素早く把握することができる。
【０１６３】
更に、出力画面に表示された医療用レポートのレイアウトに沿って、印刷することができるため、印刷用のレイアウトを別途定義する必要がないという利点がある。病院や医療用レポートの種類に拘わらず、共通の操作方法で、共通のレイアウトの医療用レポートを作成することができる。
【０１６４】
一方、医療用レポート作成端末１０を始めとする医療用レポートシステム１の開発者にとっては、マークアップ言語で定義ファイル１３１を作成することもできるため、他の言語と比較して、プログラミングの負担が軽く、医療用レポートのレイアウト変更が容易である。このため、開発コストの削減も可能である。
【０１６５】
以上詳細に説明した方法を、手順に応じたプログラムとして形成し、ＣＰＵ等を有するコンピュータで実行するように構成することができる。このようなプログラムは、半導体メモリ、磁気ディスク、光ディスク、フロッピー（登録商標）ディスク等の記録媒体、この記録媒体をセットしたコンピュータによりアクセスし、このプログラムを実行するように構成可能である。
【０１６６】
本発明の実施形態において、処理部１２が行う処理は、ソフトウェア的に処理されるが、その一部あるいはその全てをハードウェアで処理させることができる。
【０１６７】
本発明の実施形態において、定義ファイル１３１（１３１ａ）の作成あるいは編集を行うための編集ツールを導入することができる。この編集ツールは、プログラムの開発環境を併せ持つ。例えば、編集ツールは、パレット領域ＡＲＥ１のようなダイアログボックス、各種操作ボタン、プログラムの内容を表示する表示領域等で構成されており、これらが一つのウインドウ内に表示される。例えば、操作ボタンをクリックし、チェックボックス等の項目にチェックを入れるだけで、作業を視覚的に確認しながら、定義ファイル１３１を作成あるいは編集することができる。
【０１６８】
定義ファイル１３１は、レイアウト等の定義がマークアップ言語によって記述されているため、テキストエディタ等を使用して直接編集することができるが、この編集ツールの使用により、より簡単に短時間で定義ファイル１３１を作成あるいは編集することができる。
【符号の説明】
【０１６９】
１…医療用レポートシステム、１０…医療用レポート作成端末、１１…操作部、１２…処理部、１３…記憶部、１３１…定義ファイル、１４…表示部、１５…入出力制御部、２０…モダリティ、３０…サーバ、３１…記憶装置、４０…ネットワーク、ＡＲＥ１…パレット領域、ＡＲＥ２…キャンバス領域 
【図１】
2010160590.tif 000003
【図２】
2010160590.tif 000004
【図３】
2010160590.tif 000005
【図４】
2010160590.tif 000006
【図５】
2010160590.tif 000007
【図６】
2010160590.tif 000008
【図７】
2010160590.tif 000009
【図８】
2010160590.tif 000010
【図９】
2010160590.tif 000011
【図１０】
2010160590.tif 000012
【図１１】
2010160590.tif 000013
【図１２】
2010160590.tif 000014
【図１３】
2010160590.tif 000015
【図１４】
2010160590.tif 000016
【図１５】
2010160590.tif 000017
【図１６】
2010160590.tif 000018
【図１７】
2010160590.tif 000019